(57)【要約】【課題】  本発明は、量産後の照明用電源装置に対して電力供給が困難な場面であっても容易に設定変更ができる機器の開発に関する。【解決手段】  非接触伝送可能な設定変更器１０はパラメータ設定信号を出力する入力信号変調回路１２と、直流電圧を振動電圧に変換する発振回路１４と、振動電圧を増幅させるとともにパラメータ設定信号を受けてパラメータ設定信号と増幅された振動電圧とを合成して得られる合成変調電力を出力する増幅変調回路１６と、合成変調電力として電力とパラメータ設定信号を照明用電源装置１００へ伝送する磁場アンテナ１８を備え、  磁場アンテナ１８は、補助コンデンサＣ２および磁場コイルＬ１が並列接続して構成されたＬＣ並列回路と主コンデンサＣ１が直列接続して構成された直列共振回路を含み、  直列共振回路の共振周波数はＬＣ並列回路の共振周波数よりも低い周波数であることを特徴とする。【選択図】      図１
2019146391.tif 000002
【特許請求の範囲】
【請求項１】
照明ランプに対応するように照明用電源装置のパラメータ設定を非接触で変更する設定変更器であって、
当該設定変更器は、外部からの入力信号に応じたパラメータ設定信号を出力する入力信号変調回路と、直流電源からの直流電圧を一定の繰り返し振動電圧に変換する発振回路と、該発振回路からの振動電圧を増幅させるとともに前記入力信号変調回路からのパラメータ設定信号を受けて該パラメータ設定信号と増幅された振動電圧とを合成して得られる合成変調電力を出力する増幅変調回路と、該増幅変調回路からの合成変調電力を利用して前記照明用電源装置のパラメータ設定変更に必要な電力およびパラメータ設定信号を該照明用電源装置へ伝送する磁場アンテナと、を備え、
前記磁場アンテナは、補助コンデンサおよび該補助コンデンサよりも出力側に位置する磁場コイルが並列接続して構成されたＬＣ並列回路と該ＬＣ並列回路よりも入力側に位置する主コンデンサとが直列接続して構成された直列共振回路を含み、
前記直列共振回路の共振周波数は、前記ＬＣ並列回路の共振周波数よりも低い周波数であることを特徴とする設定変更器。
【請求項２】
請求項１に記載の設定変更器であって、
前記直列共振回路の共振周波数はＩＳＭバンドであり、該ＩＳＭバンドの周波数は１３．５５３ＭＨｚから１３．５６７ＭＨｚであることを特徴とする設定変更器。
【請求項３】
請求項１および請求項２のいずれかに記載の設定変更器であって、
前記入力信号変調回路は、ＡＳＫ変調を利用してパラメータ設定信号を作成することを特徴とする設定変更器。
【請求項４】
請求項１から請求項３のいずれかに記載の設定変更器であって、
当該設定変更器は、前記ＬＣ並列回路の誘導性リアクタンスを利用して前記磁場コイルに前記磁場アンテナへ入力される電圧に対して５倍から２０倍の電圧を発生させることを特徴とする設定変更器。
【請求項５】
請求項１から請求項４のいずれかに記載の設定変更器であって、
当該設定変更器は、前記磁場アンテナから伝送された合成変調電力を受信する受信回路を備えた照明用電源装置に利用されることを特徴とする設定変更器。
【発明の詳細な説明】
【技術分野】
【０００１】
本発明は、照明用電源装置のパラメータ設定変更において、特に量産後の照明用電源装置に対して電力供給が困難な場面であっても容易に設定変更ができる機器の開発に関する。
【背景技術】
【０００２】
従来から照明ランプを安定して点灯させるために照明用電源装置が利用されている。例えばＨＩＤランプや蛍光ランプ等の動作電圧は、所定の規格によりその数値が定められているため、各社が独自の定格電圧を有するランプを製作することは少なかった。そのため、どこのメーカーのランプを点灯させる場合でも定格電圧が等しいことが一般的であった。つまり、ランプに安定した電圧を供給する照明用電源装置は、所定の規格で定められた定格電圧に合わせて製造し量産すれば良かった。
【０００３】
そして昨今では、各種照明分野においてＬＥＤランプが主流となりつつある。このＬＥＤランプにおける基本素子の動作電圧は３Ｖ程度であり、用途に合わせて当該基本素子の直並列を繰り返すことにより任意の電圧（または電流）で点灯可能な多様な定格電圧（または定格電流）を有するＬＥＤランプが販売されるようになってきた。つまり、照明用電源装置をＬＥＤランプに利用するためにはＬＥＤランプの定格特性に合わせる必要があるため量産化が困難となり、また、すでに量産化された照明用電源装置は個々のランプ特性に合わないために使用できないという問題が生じている。
【０００４】
このような問題を解決するために例えば照明用電源装置の定格電圧を適宜変更できるように該照明用電源装置の内部基板等に切り替えスイッチを設けることも考えられるが、この場合は照明用電源装置の電源ケースを開けて作業する必要があり、実際の現場では思った以上に手間と時間を要してしまうという問題が生じていた。
【０００５】
そこで特許文献１には、演算回路を利用して外部接続された抵抗Ｒ１の抵抗値に応じて設定される出力電流指令値の上限値を超えないような出力電流指令値を求めることで、出力電流の調整が可能な前照灯点灯装置に関する技術が開示されている。
【先行技術文献】
【特許文献】
【０００６】
【特許文献１】特開２０１３−４５５１８号公報
【発明の概要】
【発明が解決しようとする課題】
【０００７】
しかしながら特許文献１の技術を利用して照明用電源装置に演算回路および外部抵抗Ｒ１等を備えることで、従来よりも簡単に出力電流の調整が可能となるが、設定値を変更する場合には外部抵抗を取り換える必要があり、そのため、この方法でも実際の現場では外部抵抗を取り換える手間がかかってしまい、上記問題を根本的に解決するに至っているとはいえない。
【０００８】
また、量産化された照明用電源装置は一般的には倉庫等に保管されているが、この場合はそもそも設定値を変更するために必要な電力を確保することが困難であり、そのため電力供給が可能な場所へ照明用電源装置を移動させてから設定変更をしなければならず、多大な手間がかかってしまう。
【課題を解決するための手段】
【０００９】
本発明は上記従来技術の課題に鑑みて行われたものであって、その目的は、量産された照明用電源装置に対して電源供給が困難な場所（例えば在庫品が保管されている電源のない倉庫内等）であっても照明用電源装置の各種設定値を誰でも簡単に変更できる機器を提供することである。
【００１０】
上記課題を解決するために、本発明に係る設定変更器は、
照明ランプに対応するように照明用電源装置のパラメータ設定を非接触で変更する設定変更器であって、
当該設定変更器は、外部からの入力信号に応じたパラメータ設定信号を出力する入力信号変調回路と、直流電源からの直流電圧を一定の繰り返し振動電圧に変換する発振回路と、該発振回路からの振動電圧を増幅させるとともに前記入力信号変調回路からのパラメータ設定信号を受けて該パラメータ設定信号と増幅された振動電圧とを合成して得られる合成変調電力を出力する増幅変調回路と、該増幅変調回路からの合成変調電力を利用して前記照明用電源装置のパラメータ設定変更に必要な電力およびパラメータ設定信号を該照明用電源装置へ伝送する磁場アンテナと、を備え、
前記磁場アンテナは、補助コンデンサおよび該補助コンデンサよりも出力側に位置する磁場コイルが並列接続して構成されたＬＣ並列回路と該ＬＣ並列回路よりも入力側に位置する主コンデンサとが直列接続して構成された直列共振回路を含み、
前記直列共振回路の共振周波数は、前記ＬＣ並列回路の共振周波数よりも低い周波数であることを特徴とする。
【００１１】
また、本発明に係る設定変更器は、
前記直列共振回路の共振周波数はＩＳＭバンドであり、該ＩＳＭバンドの周波数は１３．５５３ＭＨｚから１３．５６７ＭＨｚであることを特徴とする。
【００１２】
また、本発明に係る設定変更器は、
前記入力信号変調回路は、ＡＳＫ変調を利用してパラメータ設定信号を作成することを特徴とする。
【００１３】
また、本発明に係る設定変更器は、
当該設定変更器は、前記ＬＣ並列回路の誘導性リアクタンスを利用して前記磁場コイルには前記磁場アンテナに入力される電圧に対して５倍から２０倍の電圧を発生させることを特徴とする。
【００１４】
また、本発明に係る設定変更器は、
当該設定変更器は、前記磁場アンテナから伝送された合成変調電力を受信する受信回路を備えた照明用電源装置に利用されることを特徴とする。
【発明の効果】
【００１５】
本発明によれば、設定変更器が備える磁場アンテナをＬＣ並列回路と主コンデンサとの直列共振回路として構成し、直列共振回路の共振周波数をＬＣ並列回路の共振周波数よりも低い周波数とすることで磁場アンテナに強磁界が得られるので、照明用電源装置に対して非接触で電力伝送（パラメータ設定に必要な電力の伝送）および信号伝送（パラメータ設定信号の伝送）を同時に行うことができる効果を奏する。その結果、照明用電源装置に電力が供給できない環境においても、照明ランプに適合させたパラメータ設定変更が実現できる。
【図面の簡単な説明】
【００１６】
【図１】本発明の実施形態に係る設定変更器の概略構成図（ブロック図）を示す。
【図２】本発明の実施形態に係る磁場アンテナの概略構成図を示す。
【図３】並列共振回路の位相特性を示す。
【図４】本実施形態の磁場アンテナにおける直列共振回路の共振電圧特性を示す。
【図５】本発明の実施形態に係る設定変更器の具体的な構成についての概略説明図（回路図）を示す。
【発明を実施するための形態】
【００１７】
以下、本発明の設定変更器について図面を用いて説明するが、本発明の趣旨を越えない限り何ら以下の例に限定されるものではない。
【００１８】
図１に本発明の実施形態に係る設定変更器の概略構成図（ブロック図）を示す。同図に示す設定変更器１０は、外部からの入力信号を照明用電源装置１００のパラメータ設定信号に変換（変調）する入力信号変調回路１２と、直流電圧（直流電力）を供給する直流電源Ｅと、該直流電源Ｅからの直流電圧を一定の繰り返し振動電圧に変換する発振回路１４と、該発振回路１４からの振動電圧を増幅させるとともに前記入力信号変調回路１２からのパラメータ設定信号を入力し該パラメータ設定信号と増幅された振動電圧とを合成して得られる合成変調電力を出力する増幅変調回路１６と、前記合成変調電力が入力されるとともに当該設定変更器１０の出力端に設けられて送信部としての役割を果たす磁場アンテナ１８と、を含んで構成されている。
【００１９】
本実施形態における直流電源Ｅは当該設定変更器１０に含んで構成されているが、設定変更器１０に直流電源Ｅを設けずに例えば持ち運び可能な（ハンディータイプ）直流電源装置等を利用して当該設定変更器１０へ電力供給をしても良い。
【００２０】
そして本実施形態の設定変更器１０は、非接触で照明用電源装置１００のパラメータ設定変更を行うものであり、照明用電源装置１００のパラメータ設定に必要な電力およびパラメータ設定信号を同時に照明用電源装置１００に伝送できることを特徴とするものである。
【００２１】
はじめに電力伝送について説明する。直流電源Ｅから直流電圧（および直流電力）が出力されると、該直流電圧は発振回路１４に到達する。発振回路１４は水晶振動子Ｘと水晶発振回路とで構成されており、一定の繰り返し周波数（具体的にはＳｉｎ波）を有する振動電圧を発振させて出力する。振動電圧の周波数は、例えば短波帯であることが好ましく、その周波数は１０ＭＨｚから２０ＭＨｚであることが好適である。この周波数が低すぎると電力伝送距離が短くなる恐れがあり、また、周波数が高すぎると、回路の配線で反射が起こり易くなり回路基板の設計が困難になる恐れがある。この短波帯（ＨＦ）の中で、出力制限のない１３．５６ＭＨｚのＩＳＭバンドは特に最適である。
【００２２】
さらにＩＳＭバンドの周波数帯を利用することで発振回路１４を専用品ではなく一般的な素子で構成することができるためいつでも入手可能であり、且つ専用の素子を利用する場合に比べてコストダウンを図ることができる。本実施形態では発振回路１４で発振される周波数は１３．５６ＭＨｚである。そして発振回路１４による振動電圧は、増幅変調回路１６へ入力する。
【００２３】
増幅変調回路１６は前段に設けられた電流増幅回路と後段に設けられた電力増幅回路とを含んで構成されており、前記発振回路１４から出力された一定の周波数を有する振動電圧（一定の周波数を有する振動電力）は前段の電流増幅回路で１３．５６ＭＨｚの周波数を維持しながら増幅されて後段の電力増幅回路へと進む。
【００２４】
そして、増幅された振動電圧は後段の電力増幅回路で１３．５６ＭＨｚの周波数を維持しながらさらに電力増幅されて磁場アンテナ１８へ出力される。磁場アンテナ１８は強磁界を利用して増幅変調回路１６で増幅された電力を非接触で照明用電源装置１００へと伝送する。
【００２５】
なお、図１に示されるように照明用電源装置１００には受信アンテナ（受信コイル）等を含む受信回路が設けられており、この受信回路によって照明用電源装置１００はパラメータ設定に必要な電力を受け取ることができる。この受信回路の構成は特に限定されることはなく、本実施形態における設定変更器１０からの出力を受け取れればどのような構成でも構わない。
【００２６】
例えば、照明用電源装置１００にはじめから含まれている素子が結果的に磁場アンテナ１８からの電力を受信できて電力供給（および後述するパラメータ設定信号の受信）の目的を果たせるような場合には、照明用電源装置１００に新たな受信回路（受信コイル等）を設ける必要はない。
【００２７】
また、本実施形態における設定変更器１０から照明用電源装置１００への非接触での伝送距離は、０．１ｃｍから２０ｃｍの距離で行われることが好ましく、特に好ましくは１ｃｍから５ｃｍの伝送距離であることが好ましい。
【００２８】
次にパラメータ設定信号の伝送について説明する。パラメータ設定に必要な情報は、外部から入力信号として入力信号変調回路１２へ入力され、該入力信号は入力信号変調回路１２の内部でパラメータ設定信号に変換（変調）される。そして変換されたパラメータ設定信号は前記増幅変調回路１６が備える電力増幅回路へ入力される。この外部からの入力信号は例えばシリアル信号であり、このシリアル信号を入力信号変調回路１２によってＡＳＫ変調（ａｍｐｌｉｔｕｄｅ  ｓｈｉｆｔ  ｋｅｙｉｎｇ）することでパラメータ設定信号に変換している。本実施形態におけるＡＳＫ変調としては、例えばシンプルな変調方式であるＯＯＫ（ｏｎ−ｏｆｆ−ｋｅｙｉｎｇ）を利用することができる。
【００２９】
増幅変調回路１６に設けられた電力増幅回路には、電流増幅回路から出力された振動電圧と入力信号変調回路１２から出力されたパラメータ設定信号が入力されることとなる。そして電力増幅回路では、入力された振動電圧とパラメータ設定信号とを合成することで合成変調電力が得られ、該合成変調電力は磁場アンテナ１８によって非接触で照明用電源装置１００（受信回路）へと伝送される。すなわち、当該設定変更器１０から照明用電源装置１００には、パラメータ設定変更に必要な電力およびパラメータ設定信号が非接触で同時に伝送されることとなる。
【００３０】
磁場アンテナについて
ここで、本実施形態における磁場アンテナについて詳しく説明する。図２には本実施形態に係る磁場アンテナの概略構成図を示す。同図に示すように磁場アンテナ１８は、補助コンデンサＣ２と該補助コンデンサよりも出力側に位置する磁場コイルＬ１が並列接続されて構成されるＬＣ並列回路と、主コンデンサＣ１と、で構成されている。すわなち、本実施形態ではＬＣ並列回路と主コンデンサＣ１とが直列共振回路として構成されている。また、本実施形態の補助コンデンサＣ２はキャパシタンス値を可変できる可変コンデンサである。
【００３１】
ＬＣ並列回路においては、当然のことながらそのＬ値（インダクタンス値）とＣ値（キャパシタンス値）とによって定まる共振周波数が存在する。図３には並列共振回路の位相特性を示す。図３においてｆ０はＬＣ並列回路の共振周波数である。同図によると並列共振回路は、共振周波数ｆ０に対して左側（ｆ０よりも低い周波数側）では誘導性の特性を有しており、共振周波数ｆ０に対して右側（ｆ０よりも高い周波数側）では容量性の特性を有していることが分かる。
【００３２】
つまり図３に示されるようにａ点の周波数（ｆ０よりも低い周波数）においては、図２の補助コンデンサＣ２および磁場コイルＬ１で構成されるＬＣ並列回路（並列共振回路）では磁場コイルＬ１のインダクタンス値をはるかに超える誘導性の特性を有することになる。また、このような特性を利用することで、抵抗成分の少ない誘導性のリアクタンスを得ることが出来る。本実施形態では、この誘導性の特性を利用して直列共振回路（誘導性のＬＣ並列回路および主コンデンサＣ１の直列接続）としての磁場アンテナ１８が構成されている。
【００３３】
図４には本実施形態の磁場アンテナにおける直列共振回路の共振電圧特性を示す。本実施形態に係る磁場アンテナ１８では、図２の電圧Ｖ２は当該磁場アンテナ１８への入力電圧Ｖ１のＱ倍の電圧値となる（式で表すとＱ＝ωＬ／Ｒ）。ここで、ωＬは図３におけるａ点のリアクタンスのことであり、図３に示されるようにωＬは非常に大きな数値となっている。また、Ｒは磁場コイルＬ１に高周波電流が流れることによる表皮効果や磁場コイルＬ１周辺に存在する振動する電磁場の損失要素により変化する。
【００３４】
例えば、本実施形態における磁場アンテナ１８では、磁場コイルＬ１のインダクタンス値を４μＨ、主コンデンサＣ１のキャパシタンス値を１０ｐＦ、補助コンデンサＣ２のキャパシタンス値を３０ｐＦとした場合、電圧Ｖ１が２４Ｖであれば電圧Ｖ２は数百ボルトとなる。本実施形態では、電圧Ｖ２は電圧Ｖ１に対して５倍から２０倍程度の電圧値となることが好ましい。
【００３５】
すなわち、本実施形態の構成では、直列共振回路（ＬＣ並列回路と主コンデンサＣ１）の共振周波数をＬＣ並列回路の共振周波数よりも低く調整できれば磁場コイルＬ１の周辺には高周波による強力な電磁界が構成され、その結果、非接触による電力伝送および信号伝送を同時に実現することができる。
【００３６】
図５には、本発明の実施形態に係る設定変更器の具体的な構成についての回路図を示す。同図に示す設定変更器１０は、図１のブロック図で示した構成と同様に入力信号変調回路１２と、直流電源Ｅと、発振回路１４と、増幅変調回路１６と、磁場アンテナ１８と、で構成されている。
【００３７】
図５における水晶発振回路２０は図１における水晶発振回路と対応している。また図５における電流増幅回路２２は図１の電流増幅回路と対応しており、図５における電力増幅回路２４は図１の電力増幅回路と対応している。そして、図５における設定変更器１０の基本的な動作は、図１のブロック図で説明したとおりである。
【００３８】
直流電源Ｅと発振回路１４との間には一端が電源ライン（Ｂ＋）に接続され他端がグランドライン（ＧＮＤ）に接続されたコンデンサＣ１０が設けられている。コンデンサＣ１０は、グランドライン（ＧＮＤ）と電源ライン（Ｂ＋）とを高周波的に同電位にするために設けられている。
【００３９】
発振回路１４は水晶振動子Ｘと水晶発振回路２０とで構成されており、水晶振動子Ｘを使用したコルピッツ型の発振回路である。水晶振動子Ｘは誘導性素子として作用している。水晶発振回路２０（コルピッツ型）は、スイッチング素子としてのトランジスタＱ１と、一端が電源ライン（Ｂ＋）に接続され他端がトランジスタＱ１のベースに接続された抵抗器Ｒ１０と、高圧側がトランジスタＱ１のベースに接続されたコンデンサＣ１１と、一端がコンデンサＣ１１に接続され他端がグランドライン（ＧＮＤ）に接続されたコンデンサＣ１２と、一端がトランジスタＱ１のコレクタに接続され他端がグランドライン（ＧＮＤ）に接続されたインダクタＬ１０とで構成されている。
【００４０】
抵抗器Ｒ１０は当該水晶発振回路２０の起動用のベース電流を供給する役割を果たしている。直流電圧が発振回路１４に入力されることで、インダクタＬ１０とトランジスタＱ１におけるエミッタとの接点に高周波電圧が発生し、該高周波電圧はコンデンサＣ１１を通して正帰還されことで水晶振動子Ｘの振動が継続される。
【００４１】
増幅変調回路１６は、コンデンサＣ２０と電流増幅回路２２とコンデンサＣ３０と電力増幅回路２４とが直列接続して構成されている。電流増幅回路２２は、スイッチング素子としてのトランジスタＱ２と、一端が電源ライン（Ｂ＋）に接続され他端がトランジスタＱ２のベースに接続された抵抗器Ｒ２０と、一端が電源ライン（Ｂ＋）に接続され他端がトランジスタＱ２のコレクタに接続されたインダクタＬ２０と、で構成されている。インダクタＬ２０は直流成分と高周波成分とを分ける役割を果たしている。そしてコンデンサＣ３０は、電流増幅回路２２からの電力を低インピーダンス信号として電力増幅回路２４に電力供給する。
【００４２】
電力増幅回路２４は、スイッチング素子としてのＦＥＴＱ３と、一端が電源ライン（Ｂ＋）に接続され他端がＦＥＴＱ３のドレインに接続されたインダクタＬ３０と、一端がＦＥＴＱ３のゲートに接続され他端は入力信号変調回路１２が有するＦＥＴＱ４のソースと接続された抵抗器Ｒ３０と、で構成されている。
【００４３】
抵抗器Ｒ３０は、ＦＥＴＱ３の動作を安定化させるために設けられている。インダクタＬ３０は直流成分と高周波成分とを分ける役割を果たしている。また、ＦＥＴＱ３のドレインとインダクタＬ３０との間に発生した高周波電力は、磁場アンテナ１８へと供給される。
【００４４】
入力信号変調回路１２は、スイッチング素子としてのＦＥＴＱ４と、該ＦＥＴＱ４のゲートに直列接続された抵抗器Ｒ６０と、一端が抵抗器Ｒ６０とＦＥＴＱ４におけるゲートの間に接続され他端がグランドライン（ＧＮＤ）に接続された抵抗器Ｒ６１と、で構成されている。抵抗器Ｒ６０はＦＥＴＱ４のゲート・ソース間の静電容量による短絡電流のピーク値を抑える役割を果たしている。抵抗器Ｒ６１はＦＥＴＱ４のゲート・ソース間の静電容量に蓄えられた電荷を放出させる役割を果たしている。
【００４５】
ＦＥＴＱ４のドレインは、ＦＥＴＱ３のベースと抵抗器Ｒ３０との間に接続されている（ＦＥＴＱ４のソースと抵抗器Ｒ３０とはグランドラインに接続されている）。そしてＦＥＴＱ４をオンして抵抗器Ｒ３０とＦＥＴＱ３のベースとの接続点を短絡させることでＦＥＴＱ３をオンオフ動作させる。これにより、増幅された電力にパラメータ設定信号を合成させて合成変調電力を作成し、該合成変調電力は磁場アンテナ１８へ出力される。
【００４６】
磁場アンテナ１８は、補助コンデンサＣ２（Ｃ２ａおよびキャパシタンス値が可変できる可変コンデンサＣ２ｂ）と当該設定変更器１０の出力端に位置する磁場コイルＬ１が並列接続されて構成されるＬＣ並列回路と、主コンデンサＣ１と、で構成されている。すわなち、本実施形態ではＬＣ並列回路と主コンデンサＣ１とが直列共振回路として構成されている。
【００４７】
直流電源Ｅから直流電圧（および直流電力）が出力されると、該直流電圧は発振回路１４に到達し、該発振回路１４は一定の繰り返し周波数（具体的にはＳｉｎ波）を有する振動電圧を発振させて出力する。発振回路１４による振動電圧は増幅変調回路１６の電流増幅回路２２へ入力され、該振動電圧は電流増幅回路２２で１３．５６ＭＨｚの周波数を維持しながら増幅されて後段の電力増幅回路２４へと進む。
【００４８】
増幅された振動電圧は後段の電力増幅回路２４で１３．５６ＭＨｚの周波数を維持しながらさらに電力増幅される。この時、同時に入力信号変調回路１２からのパラメータ設定信号も電力増幅回路２４へ入力される。ここで前述のとおりパラメータ設定信号は、外部からの入力信号を入力信号変調回路１２の内部で変換（変調）して得られる照明用電源装置のパラメータ設定変更に必要な情報の信号である。
【００４９】
電力増幅回路２４では、入力された振動電圧（振動電力）とパラメータ設定信号とを合成することで合成変調電力が得られ、該合成変調電力は磁場アンテナ１８へ出力される。そして磁場アンテナ１８は、誘導性の特性を有するＬＣ並列回路（Ｌ１、Ｃ２ａ、Ｃ２ｂ）と主コンデンサＣ１との直列共振回路による強磁界を利用して電力および信号を同時に非接触で照明用電源装置へと伝送する。
【００５０】
このように、磁場コイル周辺に発生した強磁界を利用することで、照明用電源装置に対して非接触で電力伝送（パラメータ設定に必要な電力の伝送）および信号伝送（パラメータ設定信号の伝送）を同時に行うことができ、その結果、照明用電源装置に電力が供給できない環境においても、誰でも簡単に照明ランプに適合させたパラメータ設定変更が実現できる。
【符号の説明】
【００５１】
１０                    設定変更器
１２                    入力信号変調回路
１４                    発振回路
１６                    増幅変調回路
１８                    磁場アンテナ
２０                    水晶発振回路
２２                    電流増幅回路
２４                    電力増幅回路
１００                  照明用電源装置
Ｅ                      直流電源
Ｘ                      水晶振動子
Ｃ１０  Ｃ２０  Ｃ３０  コンデンサ
Ｃ１１  Ｃ１２          コンデンサ
Ｑ１    Ｑ２            トランジスタ
Ｑ３    Ｑ４            ＦＥＴ
Ｌ１０  Ｌ２０  Ｌ３０  インダクタ
Ｒ１０  Ｒ２０  Ｒ３０  抵抗器
Ｒ６０  Ｒ６１          抵抗器
Ｌ１                    磁場コイル
Ｃ１                    主コンデンサ
Ｃ２                    補助コンデンサ
【図１】
2019146391.tif 000003
【図２】
2019146391.tif 000004
【図３】
2019146391.tif 000005
【図４】
2019146391.tif 000006
【図５】
2019146391.tif 000007